(57)【要約】【課題】放電灯点灯装置の耐ノイズ性を強化し、誤動作による不点及び出力変化や回路破壊を防止する。【解決手段】ガラスバルブ内に放電ガスが封入された放電灯９へ高周波電力を供給する高周波電源回路２と、高周波電源回路２へ直流電圧を供給する第１の直流電源回路３と、高周波電源回路２の駆動周波数を制御する周波数制御回路４と、周波数制御回路４ヘ前記駆動周波数よりも低周波数であるＰＷＭ信号を出力するＰＷＭ発振回路５と、少なくとも周波数制御回路４及びＰＷＭ発振回路５へそれらの電源電圧となる直流電圧を供給する第２の直流電源回路７とを備え、前記ＰＷＭ信号の周期で放電灯９の点灯及び消灯を繰り返す時分割出力制御が可能な放電灯点灯装置において、第２の直流電源回路７の直流電圧出力部から近い順に、ＰＷＭ発振回路５、周波数制御回路４を配置した。【選択図】図１
2008091063.tif 000002
【特許請求の範囲】
【請求項１】
ガラスバルブ内に放電ガスが封入された放電灯へ高周波電力を供給する高周波電源回路と、前記高周波電源回路ヘ直流電圧を供給する第１の直流電源回路と、前記高周波電源回路の駆動周波数を制御する周波数制御回路と、前記周波数制御回路ヘ前記駆動周波数よりも低周波数であるＰＷＭ信号を出力するＰＷＭ発振回路と、少なくとも前記周波数制御回路及び前記ＰＷＭ発振回路へそれらの電源電圧となる直流電圧を供給する第２の直流電源回路とを備え、前記ＰＷＭ信号の周期で前記放電灯の点灯及び消灯を繰り返す時分割出力制御が可能な放電灯点灯装置において、前記第２の直流電源回路の直流電圧出力部から近い順に、前記ＰＷＭ発振回路、前記周波数制御回路を配置したことを特徴とする放電灯点灯装置。
【請求項２】
複数の集積回路を有するとともに、前記第２の直流電源回路は直流電圧出力部に平滑用コンデンサを有し、前記平滑用コンデンサにおける電源電圧側の回路パターンからの配線長が最も短くなるように前記ＰＷＭ発振回路を含む集積回路を配置したことを特徴とする請求項１に記載の放電灯点灯装置。
【請求項３】
前記ＰＷＭ発振回路の電源電圧側の回路パターンと前記周波数制御回路の電源電圧側の回路パターンを、前記第２の直流電源回路の平滑用コンデンサから分離して回路パターン配線したことを特徴とする請求項１または請求項２のいずれかに記載の放電灯点灯装置。
【請求項４】
前記高周波電源回路、第１及び第２の直流電源回路、ＰＷＭ発振回路、周波数制御回路を構成する各素子は、部品面及びはんだ面から成る両面プリント基板上に実装されており、部品面に前記ＰＷＭ発振回路と前記周波数制御回路のグランドベタパターンを設け、はんだ面に前記ＰＷＭ発振回路と前記周波数制御回路を配置したことを特徴とする請求項１から請求項３のいずれかに記載の放電灯点灯装置。
【請求項５】
前記放電灯の始動時の動作を制御する始動時制御回路と、前記放電灯の異常を検出し、異常時に前記高周波電源回路の出力を制限する異常保護回路とを備えており、前記第２の直流電源回路の平滑用コンデンサにおける電源電圧側の回路パターンから、前記始動時制御回路及び前記異常保護回路を含む集積回路へ向かう配線長は、前記ＰＷＭ発振回路を含む集積回路や前記周波数制御回路を含む集積回路へ向かう配線長よりも長いことを特徴とする請求項１から請求項４のいずれかに記載の放電灯点灯装置。
【請求項６】
前記第２の直流電源回路を、前記ＰＷＭ発振回路、前記周波数制御回路よりも、前記高周波電源回路に近い位置に配置したことを特徴とする請求項１から請求項５のいずれかに記載の放電灯点灯装置。
【請求項７】
前記ＰＷＭ発振回路は、外部からの信号を受け動作することを特徴とする請求項１から請求項６のいずれかに記載の放電灯点灯装置。
【請求項８】
前記放電灯は、無電極放電灯であることを特徴とする請求項１から請求項７のいずれかに記載の放電灯点灯装置。
【請求項９】
請求項１から請求項８のいずれかに記載の放電灯点灯装置を備えたことを特徴とする照明器具。
【発明の詳細な説明】
【技術分野】
【０００１】
本発明は放電灯点灯装置及びその照明器具に関するものである。
【背景技術】
【０００２】
放電灯点灯装置の従来例として、特開２００２−１００４９５に示すようなものがある。図１１を用いて、従来例について説明する。
【０００３】
図１１は、この従来例における放電灯点灯装置の回路図であり、直流電源回路３と、無電極放電灯９と、直流電源回路３からの直流電力に基づいて無電極放電灯９に高周波電力を供給する高周波電源回路２とを主要部として構成されている。そして、高周波電源回路２は、発振器２１、高周波電力増幅器２２、整合回路２３、フィルタ回路２４、スイッチング素子２５、フォトカプラ２６、信号変換回路２７を備えており、誘導コイル１に高周波電力を供給する。
【０００４】
この従来例の放電灯点灯装置の特徴として、図外の制御信号発生装置から発生される調光用の制御信号を制御信号線２８を介して入力する接続端子２９ａ，２９ｂとフォトカプラ２６との間に信号変換回路２７が設けられている。そして、一対の接続端子２９ａ，２９ｂの内、一方の接続端子２９ａには調光用の制御信号として直流電圧Ｖｓが印加されるようになっており、また、他方の接続端子２９ｂは接地端子（ＧＮＤ）とされている。
【０００５】
信号変換回路２７は、一方の接続端子２９ａに入力される制御信号である直流電圧Ｖｓを、この直流電圧レベルに対応したデューティ比を持つ時分割出力制御用の信号Ｖｏｕｔに変換して高周波電源回路２のフォトカプラ２６に出力するように構成されている。
【０００６】
ここで、制御信号線２８を介して入力される直流電圧Ｖｓ＝Ｖｍａｘのときには、高周波電源回路２から出力される高周波電力のＯＮデューティも１００％で、時分割出力制御を行わない定常動作状態（全点灯状態）となる。
【０００７】
無電極放電灯９を調光するために、直流電圧Ｖｓを次第に減少させると、これに伴って信号変換回路２７の出力信号Ｖｏｕｔのデューティ比が小さくなるので、これに比例して高周波電源回路２の高周波電力が間欠出力される際のＯＮデューティも減少する。そして、直流電圧Ｖｓ＝０のときには、ＯＮデューティは０％となって無電極放電灯９の調光出力は零（消灯）となる。
【０００８】
このように、図外の制御信号発生装置から制御信号線２８を介して信号変換回路２７に入力される調光用の制御信号は、調光の程度に応じてある一定の直流電圧Ｖｓとなるため、誘導コイル１などから発生する高周波ノイズが制御信号線２８に誘導された場合でも、この直流電圧Ｖｓは高周波ノイズの影響を殆ど受けることがない。特に、信号変換回路２７の入力側の前段にローパスフィルタなどを設ければ、高周波ノイズを容易にかつ確実に除去することができる。従って、高周波電源回路２に対する高周波電力の出力制御が正確に行われ、所望の調光出力が得られる。また、調光用の制御信号は直流電圧Ｖｓであるので、それより放出されるノイズも少なく、他に悪影響を及ぼすこともない。
【特許文献１】特開２００２−１００４９５号公報
【発明の開示】
【発明が解決しようとする課題】
【０００９】
ところで、無電極放電灯を時分割出力制御によって点灯維持させる場合、再点弧を繰り返すことになり、その際、高周波電源回路の出力端などに高電圧の高周波ノイズが発生するため、低電圧で動作する各制御回路がその点灯装置内部で発生した高周波ノイズによっても誤動作しないように耐ノイズ性が要求される。
【００１０】
図１１の従来例では、時分割出力制御用の信号Ｖｏｕｔに変換して高周波電源回路２のフォトカプラ２６に出力する信号変換回路２７は、内部で発生した高周波ノイズに対して特に耐ノイズ性を強化する対策がなされていない、という第１の課題がある。
【００１１】
また、制御信号線２８に高周波ノイズが誘導した場合に悪影響がないようにしているものの、制御信号線２８が点灯装置外部にあるので、点灯装置外部からのノイズによる誤動作を完全には防止することはできない、という第２の課題がある。
【００１２】
本発明は、上記の課題に鑑みてなされたもので、その目的とするところは、耐ノイズ性を強化し、誤動作による不点及び出力変化や回路破壊を防止することが可能な放電灯点灯装置を提供することにある。
【課題を解決するための手段】
【００１３】
請求項１の発明は、上記の課題を解決するために、図１に示すように、ガラスバルブ内に放電ガスが封入された放電灯９へ高周波電力を供給する高周波電源回路２と、前記高周波電源回路２へ直流電圧を供給する第１の直流電源回路３と、前記高周波電源回路２の駆動周波数を制御する周波数制御回路４と、前記周波数制御回路４ヘ前記駆動周波数よりも低周波数であるＰＷＭ信号を出力するＰＷＭ発振回路５と、少なくとも前記周波数制御回路４及び前記ＰＷＭ発振回路５へそれらの電源電圧となる直流電圧を供給する第２の直流電源回路７とを備え、前記ＰＷＭ信号の周期で前記放電灯９の点灯及び消灯を繰り返す時分割出力制御が可能な放電灯点灯装置において、図５に示すように、前記第２の直流電源回路７の直流電圧出力部から近い順に、前記ＰＷＭ発振回路５、前記周波数制御回路４を配置したことを特徴とするものである。
【００１４】
請求項２の発明は、請求項１において、複数の集積回路を有するとともに、前記第２の直流電源回路７は直流電圧出力部に平滑用コンデンサＣ２を有し、前記平滑用コンデンサＣ２における電源電圧側の回路パターンからの配線長が最も短くなるように前記ＰＷＭ発振回路５を含む集積回路を配置したことを特徴とする（図６）。
【００１５】
請求項３の発明は、請求項１または請求項２のいずれかにおいて、前記ＰＷＭ発振回路５の電源電圧側の回路パターンと前記周波数制御回路４の電源電圧側の回路パターンを、前記第２の直流電源回路７の平滑用コンデンサＣ２から分離して回路パターン配線したことを特徴とする（図６）。
【００１６】
請求項４の発明は、請求項１から請求項３のいずれかにおいて、前記高周波電源回路２、第１及び第２の直流電源回路３，７、ＰＷＭ発振回路５、周波数制御回路４を構成する各素子は、部品面及びはんだ面から成る両面プリント基板上に実装されており、部品面に前記ＰＷＭ発振回路５と前記周波数制御回路４のグランドベタパターンを設け、はんだ面に前記ＰＷＭ発振回路５と前記周波数制御回路４を配置したことを特徴とする（図７）。
【００１７】
請求項５の発明は、請求項１から請求項４のいずれかにおいて、前記放電灯９の始動時の動作を制御する始動時制御回路６と、前記放電灯９の異常を検出し、異常時に前記高周波電源回路２の出力を制限する異常保護回路８とを備えており、前記平滑用コンデンサＣ２における電源電圧側の回路パターンから、前記始動時制御回路６及び前記異常保護回路８を含む集積回路へ向かう配線長は、前記ＰＷＭ発振回路５を含む集積回路や前記周波数制御回路４を含む集積回路へ向かう配線長よりも長いことを特徴とする（図６）。
【００１８】
請求項６の発明は、請求項１から請求項５のいずれかにおいて、前記第２の直流電源回路７を、前記ＰＷＭ発振回路５、前記周波数制御回路４よりも、前記高周波電源回路２に近い位置に配置したことを特徴とする（図５）。
【００１９】
請求項７の発明は、請求項１から請求項６のいずれかにおいて、前記ＰＷＭ発振回路５は、外部からの信号を受け動作することを特徴とする（図８）。
【００２０】
請求項８の発明は、請求項１から請求項７のいずれかにおいて、前記放電灯９は、無電極放電灯であることを特徴とする（図１、図８）。
【００２１】
請求項９の発明は、請求項１から請求項８のいずれかに記載の放電灯点灯装置を備えた照明器具である（図９、図１０）。
【発明の効果】
【００２２】
請求項１の発明によれば、第１の直流電源回路から電力供給を受けて放電灯へ高周波電力を供給する高周波電源回路の駆動周波数を制御する周波数制御回路と、前記周波数制御回路ヘ前記駆動周波数よりも低周波数であるＰＷＭ信号を出力するＰＷＭ発振回路を備え、ＰＷＭ信号の周期で放電灯の点灯及び消灯を繰り返す時分割出力制御が可能な放電灯点灯装置において、少なくとも周波数制御回路及びＰＷＭ発振回路へそれらの電源電圧となる直流電圧を供給する第２の直流電源回路の直流電圧出力部から近い順に、ＰＷＭ発振回路、周波数制御回路を配置したので、放電灯点灯装置の耐ノイズ性を強化し、誤動作による不点及び出力変化や回路破壊を防止することができる。
【００２３】
請求項２の発明によれば、ＰＷＭ発振回路の集積回路を安定動作させ、耐ノイズ性を強化することができる。
【００２４】
請求項３の発明によれば、ある制御回路の制御電源電圧パターンに高周波ノイズが重量した場合においても、他の制御回路の制御電源電圧パターンへ高周波ノイズが重畳しにくいので、耐ノイズ性をより強化することができる。
【００２５】
請求項４の発明によれば、ＰＷＭ発振回路と周波数制御回路の全ての領域内からスルーホールでグランドを接続することができるので、誤動作しやすいＰＷＭ発振回路と周波数制御回路のグランド配線を短くすることができるとともに、グランドの面積が広くなるのでグランドをより安定電位に保つことができ、耐ノイズ性を更に強化することができる。
【００２６】
請求項５の発明によれば、放電灯の始動時や異常時に動作する回路に比べて、ＰＷＭ発振回路や周波数制御回路のような常時動作する回路の耐ノイズ性を強化することができる。
【００２７】
請求項６の発明によれば、耐ノイズ性に劣るＰＷＭ発振回路及び周波数制御回路の耐ノイズ性を強化することができる。
【００２８】
請求項７の発明によれば、外部から放電灯の出力を容易に変更することができる。
【００２９】
請求項８の発明によれば、耐ノイズ性を強化することにより、無電極放電灯の立ち消え、光出力変化や、回路破壊を防止することができる。
【００３０】
請求項９の発明によれば、耐ノイズ性に優れた照明器具を提供できる効果がある。
【発明を実施するための最良の形態】
【００３１】
（実施形態１）
本発明の実施形態１について、図１〜図５を用いて説明する。なお、従来例と同一な箇所は重複する説明を省略する。
【００３２】
本発明の実施形態１の全体回路図を図１に示す。図１に示すように、主回路は、誘導コイル１と、無電極放電灯９と、誘導コイル１へ高周波電力を出力する高周波電源回路２と、高周波電源回路２へ直流電圧を供給する第１の直流電源回路３から成る。
【００３３】
無電極放電灯９は、例えば、内側表面に蛍光体が塗布されたガラスバルブ内に不活性ガス・金属蒸気等の放電ガス（例えば、水銀および希ガス）が封入されたものである。
【００３４】
誘導コイル１は、高周波電磁界を発生するために、例えば、少なくとも磁性コアを備え、その外側にコイルを周回した構成であり、無電極放電灯９に近接配置される。
【００３５】
高周波電源回路２はスイッチング素子Ｑ２及びＱ３と、スイッチング素子Ｑ２及びＱ３の駆動を制御するための駆動回路２Ｂから成るインバータ回路と、インダクタンスＬｓとコンデンサＣｐおよびＣｓとから成る共振回路２Ａで構成される。共振回路２Ａはインバータ回路の出力を略正弦波に変換し、誘導コイル１へ始動時および安定点灯時に所望の電力を供給する。
【００３６】
第１の直流電源回路３は、例えば商用電源を入力とし、インダクタンスＬ１、スイッチング素子Ｑ１、ダイオードＤ１および平滑コンデンサＣ１よりなる昇圧チョッパ回路で構成されており、チョッパ制御回路３Ａでスイッチング素子Ｑ１の駆動を制御する。
【００３７】
そして、高周波電源回路２の駆動周波数を制御することで出力を制御するための周波数制御回路４と、周波数制御回路４ヘＰＷＭ信号を出力するＰＷＭ発振回路５と、無電極放電灯９の異常を検出し、無電極放電灯９の異常時に高周波電源回路２の出力を制限する異常保護回路８と、始動時の動作を制御するための始動時制御回路６と、周波数制御回路４、ＰＷＭ発振回路５、始動時制御回路６および無負荷保護回路８ヘ直流電圧を供給するための第２の直流電源回路７により主回路を制御する。
【００３８】
第２の直流電源回路７は例えば降圧チョッパ回路であり、出力部に平滑用コンデンサＣ２を含んだ構成となっている。この場合、直流電圧出力部として電解コンデンサを示したが、平滑用のコンデンサであれば何でも構わない。
【００３９】
異常保護回路８は無電極放電灯９の異常を検出するために、抵抗Ｒ３およびＲ４の分圧である基準電圧と、出力電圧を抵抗Ｒ１およびＲ２で分圧した検出電圧とを比較器ＩＣ１により比較させ、検出電圧が基準電圧を超えた場合に高周波電源回路２の出力を制限（例えば、間欠発振動作、出力低減、出力停止など）させ、回路破壊を防止する。
【００４０】
実施形態１における無電極放電灯点灯装置のＰＷＭ発振回路５について説明する。ＰＷＭ発振回路５は、集積回路などにより点灯装置内部で発振することでＰＷＭ信号を出力し、ＰＷＭ信号の周波数で無電極放電灯９の点灯及び消灯を繰り返す、いわゆる時分割出力制御することで無電極放電灯点灯装置の出力を調整するように動作する。
【００４１】
その動作について、図２〜図４を用いて説明する。時分割出力制御は、例えば、調光が必要な場合や低出力で安定動作させるときなどに使用することができる。
【００４２】
図２にＰＷＭ出力電圧の経時変化波形を示すように、ＰＷＭ発振回路５は、矩形波電圧の制御信号Ｖｐｗｍを出力し、矩形波電圧のオン期間に点灯（または消灯）させ、オフ期間に消灯（または点灯）させるので、高周波電源回路２から高周波電力を間欠的に発生させる場合の１周期に対する高周波電力の出力期間の時間的割合［＝ｔＯＮ／（ｔＯＮ＋ｔＯＦＦ）］（以下、ＯＮデューティという）を変化させることで無電極放電灯９の出力を変化させることができる。
【００４３】
そして、図３に駆動周波数の経時変化波形を示すように、周波数制御回路４は、例えば、矩形波電圧のオン期間及びオフ期間で高周波電源回路２の駆動周波数をｆｏｎ及びｆｏｆｆと切り替えることで無電極放電灯９の点灯及び消灯を繰り返すように動作させる。オフ期間は例えば点灯可能な限界周波数ｆ１よりも十分高い周波数に設定する。
【００４４】
ここで、図４に高周波電源回路２の出力電圧の経時変化波形即ち誘導コイル１の両端電圧波形を示すが、このように再点弧時には高電圧が必要となるので、各回路の耐ノイズ性が必要となる。
【００４５】
再点弧時の電圧を抑えるために、図３のように、再点弧時に毎回周波数スイープする手段等が考えられるが、オン期間に占めるスイープ時間の割合が多くなるとＰＷＭ信号のオン期間と点灯期間がずれてしまい、実際の調光出力を正確に得るのが難しくなってしまう。また、ＰＷＭ周波数を５００Ｈｚ〜２ｋＨｚ程度とし、高周波電源回路のオン期間における駆動周波数を１１０ｋＨｚ〜１５０ｋＨｚ程度とすると、ＰＷＭ信号のオン期間に駆動周波数の周期を数十周期しか取れないので、スイープ時間を多く取ると調光下限を拡大することができなくなってしまうことから、十分なスイープ期間を取ることができず、再点弧時の高周波電源回路２の出力電圧を大幅に抑えることは難しい。したがって、再点弧時の高電圧発生により、高周波ノイズが各制御回路に誘導される可能性がある。
【００４６】
そこで、次に、実施形態１における放電灯点灯装置の回路配置について図５を用いて説明する。図５では、プリント基板１０上の各回路の実装状態を示している。
【００４７】
高電圧で動作する主回路からの高周波ノイズにより悪影響を及ぼさないように、低電圧で動作する全ての制御回路は制御電源側回路パターン、グランド側回路パターンとも直流電圧出力部との配線長を短くすることが理想であるが、実際には全ての回路を近傍に配置することはできないので、耐ノイズ性を考慮して優先順に各回路を配置する必要がある。
【００４８】
ここでは、第２の直流電源回路７の直流電圧出力部から近い順に、ＰＷＭ発振回路５、周波数制御回路４、始動時制御回路６及び異常保護回路８の順番に配置する。
【００４９】
再点弧時の高周波ノイズがＰＷＭ発振回路５の制御信号に重畳すると、矩形波電圧波形が歪んでしまい、ＯＮデューティが変化して、無電極放電灯９で所定の出力が得られないことがある。また、ＰＷＭ発振回路５を制御する集積回路の誤動作により時分割出力制御ができなくなることもある。最悪の場合、出力信号が発生せず、無電極放電灯９が消灯したり、逆に、出力信号がオン信号を保持することで所望の出力よりも高出力（フル点灯状態）となり、回路破壊に至ることもある。第２の直流電源回路７の直流電圧出力部とＰＷＭ発振回路５を近く配置することでその電源電圧の電位およびグランド電位を安定に保つことができ、このような誤動作を防止することができる。
【００５０】
また、特に無電極放電灯点灯装置の場合は負荷側の共振の鋭さＱが高いため、点灯維持可能な周波数範囲が狭く、周波数変化が光出力などの電気特性に大きく影響する。したがって、無電極放電灯点灯装置内又は外部からのノイズによって動作周波数が変化した場合、無電極放電灯９が立消えしたり、光出力が大きく変化する。但し、ＰＷＭ発振回路５より高周波で動作するので、例えば高周波ノイズにより一周期波形が乱れたときの影響はＰＷＭ発振回路５よりも少ない。したがって、次に周波数制御回路４を第２の直流電源回路７の直流電圧出力部近傍に配置し、駆動周波数の変化を抑えることにより耐ノイズ性を強化する。
【００５１】
始動時制御回路６及び異常保護回路８は常時動作する回路ではないため、ＰＷＭ発振回路５や周波数制御回路４を優先し、これらの回路よりも第２の直流電源回路７の直流電圧出力部から離れて配置する。したがって、常時動作する回路の耐ノイズ性を強化することができる。
【００５２】
また、共振回路２Ａを含む高周波電源回路２は始動時及び再点弧時に高電圧が発生するので、周波数制御回路４、ＰＷＭ発振回路５、始動時制御回路６、第２の直流電源回路７、異常保護回路８の各回路と共振回路２Ａとの距離を十分空けて配置する。ここで、比較的耐ノイズ性に優れる第２の直流電源回路７をＰＷＭ発振回路５及び周波数制御回路４よりも高周波電源回路２の近くに配置することで、耐ノイズ性に劣るＰＷＭ発振回路５及び周波数制御回路４の耐ノイズ性を強化することができる。
【００５３】
以上のように、耐ノイズ性を強化し、誤動作による不点及び出力変化や回路破壊を防止することができる無電極放電灯点灯装置を提供することができる。
【００５４】
なお、図５の配置は一例を示したものであり、第２の直流電圧回路７の出力部と各回路の距離が先述の関係であればよい。また、第１の直流電源回路３は昇圧チョッパ回路に限定されるものではなく、高周波電源回路２へ直流電圧を供給できるものであれば何でも構わない。第２の直流電源回路７も同様であり、降圧チョッパ回路に限定されるものではない。
【００５５】
（実施形態２）
本発明の実施形態２について、図６、図７を用いて説明する。なお、実施形態１と同一な箇所は重複する説明を省略する。
【００５６】
図６は実施形態２における制御電源電圧パターン配線の説明図であり、制御回路全域のはんだ面における制御電源電圧パターンを示したものである。図中の灰色で示したパターンが制御電源電圧パターンである。
【００５７】
複数の集積回路（制御ＩＣ）を有した無電極放電灯点灯装置において、第２の直流電源回路７は直流電圧出力部に平滑用コンデンサＣ２を有しており、平滑用コンデンサＣ２における電源電圧側の回路パターンからの配線長が最も短くなるようにＰＷＭ発振回路５を含む集積回路を配置しており、誤動作しやすいＰＷＭ発振回路５の集積回路を内部発振からＰＷＭ信号出力に至るまで安定動作させ、耐ノイズ性を強化することができる。
【００５８】
また、第２の直流電源回路７は、平滑用コンデンサＣ２から、周波数制御回路４の制御電源電圧パターンと、ＰＷＭ発振回路５の制御電源電圧パターンと、始動時制御回路６及び異常保護回路８の制御電源電圧パターンとを分離してパターン配線する。これにより、ある制御回路の制御電源電圧パターンに高周波ノイズが重畳した場合においても、平滑用コンデンサＣ２を介するため、他の制御回路の制御電源電圧パターンへ高周波ノイズが重量しにくい。したがって、順送り配線とする場合に比べると、耐ノイズ性をより強化することができる。
【００５９】
図７は実施形態２におけるグランドパターン配線の説明図であり、図中の灰色で示したパターンがグランドベタパターンである。高周波電源回路２、第１の直流電源回路３及び第２の直流電源回路７、ＰＷＭ発振回路５、周波数制御回路４などを構成する各素子は、部品面及びはんだ面から成る両面プリント基板上に実装されており、部品面に少なくともＰＷＭ発振回路５と周波数制御回路４のグランドべタパターンを設け、はんだ面にＰＷＭ発振回路５と周波数制御回路４を配置する。これにより、ＰＷＭ発振回路５と周波数制御回路４の全ての領域内からスルーホールでグランドを接続することができるので、誤動作しやすいＰＷＭ発振回路５と周波数制御回路４のグランド配線を短くすることができるとともに、グランドの面積が広くなるので、グランドをより安定電位に保つことができ、耐ノイズ性を更に強化することができる。
【００６０】
（実施形態３）
本発明の実施形態３について、図８を用いて説明する。なお、実施形態１及び実施形態２と同一な箇所は重複する説明を省略する。
【００６１】
図８は、実施形態３における放電灯点灯装置の全体回路図を示すものであり、実施形態１との違いは、ＰＷＭ発振回路５のＰＷＭ信号出力を、入力端子５ａ，５ｂに入力された外部入力信号により、制御することである。
【００６２】
入力端子５ａ及び５ｂ間に従来例と同様に、直流電圧信号や矩形波信号を入力することにより、外部から無電極放電灯の出力（もしくは調光比）を容易に変更することができる。実施形態１及び実施形態２で示したような耐ノイズ性強化を実施することにより、外部入力信号で制御しても従来例よりも耐ノイズ性に優れた放電灯点灯装置を提供することができる。
【００６３】
なお、実施形態１〜３で説明した放電灯は無電極放電灯９に限定されるものではなく、冷陰極蛍光ランプやその他の蛍光灯でもよく、無電極放電灯９の場合と同様な効果が得られる。
【００６４】
（実施形態４）
無電極放電灯点灯装置は、図９の街路灯１１や図１０の防犯灯１２のような照明器具内に無電極放電灯９と共に収納されて用いられ、実施形態１〜３と同様な効果が得られる。
【図面の簡単な説明】
【００６５】
【図１】実施形態１における放電灯点灯装置の全体回路図である。
【図２】実施形態１におけるＰＷＭ出力電圧経時変化を示す波形図である。
【図３】実施形態１における駆動周波数の経時変化を示す波形図である。
【図４】実施形態１における高周波電源回路の出力電圧経時変化を示す波形図である。
【図５】実施形態１における放電灯点灯装置の回路配置を示す説明図である。
【図６】実施形態２における制御電源電圧パターン配線を示す説明図である。
【図７】実施形態２におけるグランドパターン配線を示す説明図である。
【図８】実施形態３における放電灯点灯装置の全体回路図である。
【図９】実施形態４における照明器具の一部を破断して示した正面図である。
【図１０】実施形態４における照明器具の一部を透視して示した側面図である。
【図１１】従来例の放電灯点灯装置の回路図である。
【符号の説明】
【００６６】
１  誘導コイル
２  高周波電源回路
３  第１の直流電源回路
４  周波数制御回路
５  ＰＷＭ発振回路
６  始動時制御回路
７  第２の直流電源回路
８  異常保護回路
９  無電極放電灯
【図１】
2008091063.tif 000003
【図２】
2008091063.tif 000004
【図３】
2008091063.tif 000005
【図４】
2008091063.tif 000006
【図５】
2008091063.tif 000007
【図６】
2008091063.tif 000008
【図７】
2008091063.tif 000009
【図８】
2008091063.tif 000010
【図９】
2008091063.tif 000011
【図１０】
2008091063.tif 000012
【図１１】
2008091063.tif 000013